(57)【要約】【課題】ミスト発生装置に使用される残水の乾燥において渇水状態を判定することを目的とする。【解決手段】ミスト対象室内に開口した吸込口と吹出口を有し、ミスト対象室内の空気を循環させる循環送風手段５と空気を暖める加熱手段７と加熱手段の下流側に加湿手段８を備え、加湿手段８は下部に水を貯水する貯水部１０と上部に貯水部に貯水された水を吸い上げ噴霧する回転体１８を備え、貯水部の一部と連通した水を排出する排水開閉手段１６を備え、装置の内部に付着した水分を乾燥させる装置内部乾燥手段と前記貯水部に水がないことを検知する渇水検知手段とを装置内部に備えた構成にしたことにより、渇水検知手段により残水がないことが検知でき、残水における雑菌の繁殖を抑制したミスト発生装置を得られる。【選択図】図１
2014064652.tif 000002
【特許請求の範囲】
【請求項１】
ミスト対象室内に開口した吸込口と吹出口を有し、前記ミスト対象室内の空気を循環させる循環送風手段と、空気を暖める加熱手段と、前記加熱手段の下流側に加湿手段を備え、前記加湿手段は下部に水を貯水する貯水部と上部に前記貯水部に貯水された水を吸い上げ噴霧する回転体を備え、前記貯水部の一部と連通した水を排出する排水手段を備えた装置であって、前記装置の内部に付着した水分を乾燥させる前記装置の内部乾燥手段と前記貯水部に水がないことを検知する渇水検知手段とを前記装置の内部に備えたことを特徴とするミスト発生装置。
【請求項２】
排水手段の近傍の温度を検出する排水温度検出手段を設けたことを特徴とする請求項１に記載のミスト発生装置。
【請求項３】
吹出口に吹出温度検出手段を設け、排水手段による貯水部の残水の排水後の装置の内部が乾燥している時に、前記吹出温度検出手段の値より排水温度検出手段の値が高くなることを判定することを特徴とする請求項１または２に記載のミスト発生装置。
【請求項４】
加湿手段は上部に向かい広がる方向で傾斜を有した略円錐形状とした回転体であり、前記回転体の側面には内部と連通した水滴飛散用穴が設けられたものであり、装置の内の乾燥手段動作中に、前記加湿手段が回転していることを特徴とする請求項３に記載のミスト発生装置。
【請求項５】
装置運転終了後排水手段により貯水部の残水を排水した後に装置の内部の乾燥手段により装置内を一定時間以上乾燥した後に吹出温度検出手段の値より排水温度検出手段の値が大きくなることを判定することを特徴とする請求項２、３または４のいずれかに記載のミスト発生装置。
【請求項６】
装置運転終了後排水手段により貯水部の残水を排水した直後の温度と、排水後に装置内乾燥手段により装置内を乾燥している時の温度との差が一定温度差以上となったことを検知し渇水状態であることを検出することを特徴とする請求項２に記載のミスト発生装置。
【請求項７】
加湿手段は上部に向かい広がる方向で傾斜を有した略円錐形状とした回転体であり、前記回転体の側面には内部と連通した水滴飛散用穴が設けられた物であり、装置内乾燥手段動作中に、前記加湿手段が回転していることを特徴とする請求項６に記載のミスト発生装置。
【請求項８】
装置運転終了後排水手段により貯水部の残水を排水した直後の温度と、排水後に装置内乾燥手段により装置内を一定時間以上乾燥した後の温度との差が一定温度差以上となったことを検知し、渇水状態であることを検出する渇水検知手段を特徴とした請求項２、６または７にいずれかに記載のミスト発生装置。
【請求項９】
装置吸込口にミスト対象室の温度を検知する吸込温度検知手段を備え、前記吸込温度検知手段の値により、貯水部の残水を排水した直後の温度と、排水後に装置内乾燥手段により装置内を一定時間以上乾燥した後の温度との差である渇水判定の値を変化させたことを特徴とした請求項６または８に記載のミスト発生装置。
【発明の詳細な説明】
【技術分野】
【０００１】
本発明は、浴室内を加湿し、温度と湿度を調整することにより、浴室内をサウナ空間とするミスト発生装置に関するものである。
【背景技術】
【０００２】
従来、この種のミスト発生装置は、浴室の天井に設置されたものが知られている（例えば、特許文献１参照）。
【０００３】
以下、そのミスト発生装置について図１０と１１を参照しながら説明する。
【０００４】
図１０および１１に示すように、内部循環風路ＣＷｉは装置内に設けられた風路構造１０１により形成されている。
【０００５】
風路構造１０１には、循環送風機１０２から下流（空気流の流れる方向）に向かって、加熱装置（温風ヒータ）１０３、散水装置（第２の霧化装置）１０４、蒸発促進部材１０５及び霧化装置（第１の霧化装置）１０６が、この順番にて設けられている。
【０００６】
散水装置１０４と霧化装置１０６の共通の構成である貯水タンク１０７には図示しない給水系と排水系が接続されている。給水系は給水源である水道と貯水タンク１０７との間に構成され、水道接続部手前にメンテナンス用の止水弁が設けられ、接続部に直結され水道水内部のゴミを除去するストレーナを介し、水道水の逆流防止のための逆止弁を介して貯水タンク１０７の給水弁に接続されている。一方、排水系は排水弁を介して貯水タンク１０７の最底部に接続され、貯水タンク１０７に溜まった水を排水する。貯水タンク１０７より排水弁を介して流れた水はドレンパン１０８に回収され、回収された水はドレンアップ１０９にて揚程を確保され装置１１０に接続されたドレン接続部より排水される。
【先行技術文献】
【特許文献】
【０００７】
【特許文献１】特開２００８−２７２２５２号公報（第５図、８図）
【発明の概要】
【発明が解決しようとする課題】
【０００８】
このような従来のミスト発生装置においては、装置の設置状態による不完全な排水や排水管の詰まりによる排水不良が起こった場合排水が不完全になり、貯水タンクに残水が貯水された状態となり、残水中で菌が増殖するという課題を有していた。
【０００９】
本発明は、このような従来の課題を解決するものであり、残水中の雑菌の繁殖を抑制することを目的としている。
【課題を解決するための手段】
【００１０】
そして、この目的を達成するために本発明は、ミスト対象室内に開口した吸込口と吹出口を有し、ミスト対象室内の空気を循環させる循環送風手段と空気を暖める加熱手段と前記加熱手段の下流側に加湿手段を備え、前記加湿手段は下部に水を貯水する貯水部と上部に前記貯水部に貯水された水を吸い上げ噴霧する回転体を備え、前記貯水部の一部と連通した水を排出する排水手段を備え、前記装置の内部に付着した水分を乾燥させる装置内部乾燥手段と前記貯水部に水がないことを検知する渇水検知手段とを装置内部に備えたものであり、これにより所期の目的を達成するものである。
【００１１】
また、他の手段は、排水手段の近傍の温度を検出する排水温度検出手段を渇水検知手段とすることにより、所期の目的を達成するものである。
【００１２】
また、他の手段は、装置吹出口に吹出温度検出手段を設け、排水手段による貯水部の残水の排水後の装置内部を乾燥している時に、吹出温度検出手段の値より排水温度検出手段の値が高くなることを判定する渇水検知手段を設けたものであり、これにより所期の目的を達成するものである。
【００１３】
また、他の手段は、加湿手段は上部に向かい広がる方向で傾斜を有した略円錐形状とした回転体であり、前記回転体の側面には内部と連通した水滴飛散用穴が設けられた物であり、装置内乾燥手段動作中に、前記加湿手段が回転するものであり、これにより所期の目的を達成するものである。
【００１４】
また、他の手段は、装置運転終了後排水手段により貯水部の残水を排水した後に装置内乾燥手段により装置内を一定時間以上乾燥した後に吹出温度検出手段の値より排水温度検出手段の値が大きくなることを判定する渇水検知手段を設けたものであり、これにより所期の目的を達成するものである。
【００１５】
また、他の手段は、装置運転終了後排水手段により貯水部の残水を排水した直後の温度と、排水後に装置内乾燥手段により装置内を乾燥している時の温度との差が一定温度差以上となったことを検知し、渇水状態であることを検出する渇水検知手段としたものであり、これにより所期の目的を達成するものである。
【００１６】
また、他の手段は、加湿手段は上部に向かい広がる方向で傾斜を有した略円錐形状とした回転体であり、前記回転体の側面には内部と連通した水滴飛散用穴が設けられた物であり、装置内乾燥手段動作中に、前記加湿手段が回転ことにより所期の目的を達成するものである。
【００１７】
また、他の手段は、装置運転終了後排水手段により貯水部の残水を排水した直後の温度と、排水後に装置内乾燥手段により装置内を一定時間以上乾燥した後の温度との差が一定温度差以上となったことを検知し、渇水状態であることを検出する渇水検知手段としたものであり、これにより所期の目的を達成するものである。
【００１８】
また、他の手段は、装置吸込口にミスト対象室の温度を検知する吸込温度検知手段を備え、吸込温度検知手段の値により、貯水部の残水を排水した直後の温度と、排水後に装置内乾燥手段により装置内を一定時間以上乾燥した後の温度との差である渇水判定の値を変化させたものであり、これにより所期の目的を達成するものである。
【発明の効果】
【００１９】
本発明によれば、室内の空気を循環させる循環送風手段と空気を暖める加熱手段と前記加熱手段の下流側に加湿手段を備え、前記加湿手段は下部に水を貯水する貯水部と上部に前記貯水部に貯水された水を吸い上げ噴霧する加湿手段を備え、前記貯水部の一部と連通した水を排出する排水手段と、前記装置の内部に付着した水分を乾燥させる装置内部乾燥手段と前記貯水部に水がないことを検知する渇水検知手段とを備えたことにより、渇水検知手段で残水がないことが検知でき、装置内部を乾燥状態に保つことができるため、残水における雑菌の繁殖を抑制でき、清潔な装置を提供することができる。
【図面の簡単な説明】
【００２０】
【図１】本発明の実施の形態１のミスト発生装置の内部構成図
【図２】同ミスト発生装置の装置内乾燥時における各温度変化のグラフ
【図３】本発明の実施の形態２のミスト発生装置の内部構成図
【図４】同ミスト発生装置の装置内乾燥時における排水温度変化のグラフ
【図５】同ミスト発生装置の装置内乾燥のフローチャート
【図６】本発明の実施の形態３のミスト発生装置の内部構成図
【図７】同ミスト発生装置の装置内乾燥時における排水温度変化のグラフ
【図８】同ミスト発生装置の装置内乾燥時における渇水判定の基準を示す図
【図９】同ミスト発生装置の装置内乾燥のフローチャート
【図１０】従来のミスト発生装置の側断面構成図
【図１１】同ミスト発生装置のドレンパンの断面構成図
【発明を実施するための形態】
【００２１】
本発明の請求項１記載のミスト発生装置は、ミスト対象室内に開口した吸込口と吹出口を有し、ミスト対象室内の空気を循環させる循環送風手段と空気を暖める加熱手段と前記加熱手段の下流側に空気を加湿手段に備え、前記加湿手段は下部に水を貯水する貯水部と上部に前記貯水部に貯水された水を吸い上げ噴霧する回転体を備え、前記貯水部の一部と連通した水を排出する排水手段を備え、前記装置の内部に付着した水分を乾燥させる装置内部乾燥手段と前記貯水部に水がないことを検知する渇水検知手段とを装置内部に備えたという構成を有する。これにより、循環送風手段により室内の空気を吸い込み加熱手段により空気を暖めることにより、空気内に取り込める水の量すなわち飽和水蒸気量を増加させ、暖められた空気は下部に備えた貯水部に蓄えた水を略円錐状の下部より吸い上げる回転体である加湿手段より発生する微細な水滴と交わり、加湿加熱空気を供給するミスト発生装置において、貯水部下部には貯水部に蓄えられた水を貯水／排水を切り替える排水手段が備えられ、排水手段により貯水部に蓄えられた水を排水する。また加熱手段と循環送風手段を動作させることにより装置内乾燥手段として装置内部及び貯水部を乾燥させることができる。一方、運転時と運転終了後の状態および装置内乾燥時の貯水部の残水を渇水検知手段において判定することができ、排水および装置内乾燥によって残水がないことが検知でき、貯水部が乾燥していることを判別することができることとなるので、装置内部を乾燥状態に保つことにより残水における雑菌の繁殖を抑制が可能となり、清潔な装置を提供することができるという効果を奏する。
【００２２】
また、排水手段の近傍の温度を検出する排水温度検出手段を渇水検知手段という構成にしてもよい。これにより、排水手段により貯水部内の残水を排水させ、加熱手段と循環送風手段を動作させることにより装置内部及び貯水部を乾燥させるとともに、排水手段近傍に備えた排水温度検知手段が排水温度を検知することとなるが、水が蓄えられているときは水温及び蒸発潜熱により低い温度を検知することとなり、水が全くないときでは加熱手段により暖められた温風により暖められた貯水部の温度を検知することとなるため高い温度を検出することとなり、安価な渇水検知手段が得られるという効果を奏する。
【００２３】
また、装置吹出口に吹出温度検出手段を設け、排水手段による貯水部の残水の排水後の装置内乾燥している時に、吹出温度検出手段の値より排水温度検出手段の値が高くなることを判定する渇水検知手段を設ける構成にしてもよい。これにより、循環手段により吸い込まれた空気が加熱手段により暖められ、その後下部貯水部を設けた加湿手段を通過し、吹出口より加湿加熱空気を吹き出すこととなるが、貯水部の水がない場合は吹出口に対し、加熱手段に近い位置にある排水温度検知手段の温度が高くなり、検出手段が装置内部の空気の流れによる温度検出値の差であるため、外乱に左右されない検知が可能となるという効果を奏する。
【００２４】
また、加湿手段は上部に向かい広がる方向で傾斜を有した略円錐形状とした回転体であり、前記回転体の側面には内部と連通した水滴飛散用穴が設けられた物であり、装置内乾燥手段動作中に、前記加湿手段が回転する構成にしてもよい。これにより、装置内加湿手段に付着している水分が飛散されることにより、加湿手段に水滴が残っていない状態で乾燥が可能となるので、加湿手段に付着している水分が乾燥した後に偏った蒸発残留物の付着がなくなることにより乾燥後の回転体である加湿手段の回転振動を抑制するという効果を奏する。
【００２５】
また、装置運転終了後排水手段により貯水部の残水を排水し、装置内乾燥手段により装置内を一定時間以上乾燥した後に吹出温度検出手段の値より排水温度検出手段の値が大きくなることを判定する渇水検知手段を設けるという構成にしてもよい。これにより、装置内乾燥手段により予め決められた時間装置内乾燥をし、その後に吹出温度検出手段の値と排水温度検出手段の値を比較し排水温度手段の検知値が大きくなることを検出した時点で、渇水したと判断することとなるので、予め決められた装置内乾燥運転をすることにより、貯水部以外の装置内部全体が乾燥していることを判定できるという効果を奏する。
【００２６】
また、装置運転終了後排水手段により貯水部の残水を排水した直後の温度と、排水後に装置内乾燥手段により装置内を乾燥している時の温度との差が一定温度差以上となったことを検知し、渇水状態であることを検出する渇水検知手段という構成にしてもよい。これにより、循環手段により吸い込まれた空気が加熱手段により暖められ、その後下部貯水部を設けた加湿手段を通過し、吹出口より加湿加熱空気吹き出すこととなるが、加熱手段通過直後の空気温度は１００度近い高温であり、一方貯水された水は前記加熱空気の温度より明らかに低い温度であり、水が貯水部に貯水されている間は水の温度や水が蒸発される際に奪われる蒸発潜熱により貯水部底部に備えた排水温度検出手段による検知温度は低い値となるが、貯水部および排水手段内の水が完全に乾燥した後の温度は加熱手段直後の温度と近い温度となり、高い温度を検知することとなり、排水直後の温度と明らかな温度差を検出することができ、排水温度検知手段のみの検知となるため、安価なミスト発生装置を提供することができるという効果を奏する。
【００２７】
また、加湿手段は上部に向かい広がる方向で傾斜を有した略円錐形状とした回転体であり、前記回転体の側面には内部と連通した水滴飛散用穴が設けられた物であり、装置内乾燥手段動作中に、前記加湿手段が回転しているという構成にしてもよい。これにより、装置内加湿手段に付着している水分が飛散されることにより、加湿手段に水滴が残っていない状態で乾燥が可能となるので、加湿手段に付着している水分が乾燥できるため、乾燥した後に偏った蒸発残留物の付着がなくなり、乾燥後の回転体である加湿手段の回転振動を抑制することができるという効果を奏する。
【００２８】
また、装置運転終了後排水手段により貯水部の残水を排水した直後の温度と、排水後に装置内乾燥手段により装置内を一定時間以上乾燥した後の温度との差が一定温度差以上となったことを検知し、渇水状態であることを検出する渇水検知手段という構成にしてもよい。これにより、装置内乾燥手段動作中に装置内加湿手段が回転することにより前記加湿手段に付着している水分が飛散されることとなり、加湿手段に水滴が残っていない状態で乾燥が可能となり、飛散した水滴は重力で貯水部に導かれることとなる。一方貯水された水は前記加熱空気の温度より明らかに低い温度であり、排水手段により貯水部の水が排水された後でも表面についいている水滴で水が蒸発される際に奪われる蒸発潜熱により貯水部底部に備えた排水手段近傍の温度を検出する排水温度検出手段による検知温度は低い値となるが、貯水部および排水手段内の水が完全に乾燥した後の温度は加熱手段直後の温度と近い温度となり、高い温度を検知することとなるので、加湿手段に付着している水分が乾燥できるため、乾燥した後に偏った蒸発残留物の付着がなくなり、乾燥後の回転体である加湿手段の回転振動を抑制することができるとともに、安価な渇水検知手段を有し、装置内部全体が乾燥していることを判定できるという効果を奏する。
【００２９】
また、装置吸込口にミスト対象室の温度を検知する吸込温度検知手段を備え、吸込温度検知手段の値により、貯水部の残水を排水した直後の温度と、排水後に装置内乾燥手段により装置内を一定時間以上乾燥した後の温度との差である渇水判定の値を変化させるという構成にしてもよい。これにより、循環送風手段を駆動することによりミスト対象室の空気は装置に吸い込まれ吸込温度検知手段により検知されるが、前記ミスト対象室の温度は貯水部外面にも接触するため、貯水部底部に備えた排水手段近傍の温度を検出する排水温度検出手段の検知する値にも影響を及ぼすこととなる。このため吸込温度検知手段により検知された温度域別に排水温度検出手段における温度差の判定値を変えることにより正確な渇水判定を行うことができることとなるので、ミスト対象室の温度域別に判定値を変えることにより過乾燥することのない経済的な装置内乾燥運転が実施できるという効果を奏する。
【００３０】
以下、本発明の実施の形態について図面を参照しながら説明する。
【００３１】
（実施の形態１）
図１と図２に示すように、ミスト対象室１の天井２裏面に設置されているミスト発生装置３はパネル４をミスト対象室１に備え、電動機とシロッコファンより構成される循環送風手段５が駆動することによりパネル４に備えた吸込口６よりミスト対象室１の空気を吸い込み、循環送風手段５を介し、加熱手段としての電気ヒーター７を通過することにより、温風となり加湿手段８を通過し、パネル４に備えた吹出口９よりミスト対象室１に加熱加湿空気を送風することとなる。
【００３２】
加湿手段８の下部には貯水部１０が備えられている。貯水部１０近傍に給水管１１に接続された給水口１２が備えられ、給水口１２には給水の動作／停止を切り替える給水開閉手段１３が備えられている。一方貯水部１０の下部には排水口１４が備えられ、排水口１４は下り勾配を形成した排水管１５に接続されている。排水口１４は貯水部に蓄えられた水の貯水／排水とを切り替えることのできる排水手段としての排水開閉手段１６が備えられている。
【００３３】
加湿手段８は加湿用電動機１７と回転体１８から構成されており、回転体１８は内部が空洞の略円錐状の形状であり側面には水滴飛散用穴１９を備え、上部を加湿用電動機１７と連結しており、一方下部は貯水部１０の底面に近接した位置で配設されている。
【００３４】
給水管１１より送られた水は給水開閉手段１３が動作することにより給水口１２より貯水部１０に送水され、貯水部１０に蓄えられることとなる。貯水部１０に蓄えられた水は加湿用電動機１７が駆動することにより連結された回転体１８が回転することとなる。回転体１８の下部には水吸上用の開口（図示せず）があり、一方回転体１８は上側に向かい広がる形状の中空略円錐形状であるため、回転体１８が回転することにより遠心力により、貯水部１０に蓄えられた水は回転体１８の内面に沿って上昇することとなる。回転体１８の側面には内側面と外側面を連通した水滴飛散用穴１９が設けられており、回転体１８の下部より吸上げられた水は回転の影響により回転体１８の内部で薄膜状に広がり、水滴飛散用穴１９より周囲に微細水滴を噴霧することとなる。この噴霧された微細水滴は循環送風手段５により加熱手段７を介した温風と交わることとなり、加熱加湿空気となって吹出口９を介してミスト対象室１に送風されることとなる。
【００３５】
また、排水口１４近傍には排水温度検出手段２０が備えられ、貯水部１０に蓄えられた水の温度を検出し、一方吹出口９近傍には吹出温度検出手段２１が備えられ、ミスト発生装置３より吹き出される温度を検出している。また、排水温度検出手段２０、吹出温度検出手段２１、循環送風手段５、加熱手段７、加湿手段８、給水開閉手段１３、排水開閉手段１６および加湿用電動機１７は電気的に制御手段２２と接続されている。
【００３６】
一方ミスト発生装置３を停止する場合は、給水開閉手段１３を閉じ給水管１１からの給水を遮断し、また排水開閉手段１６を開き貯水部１０に蓄えられた水を排水口１４を介し排水管１５より排水する。排水開閉手段１６を開としたしばらく後、つまり貯水部１０の水が完全に排水されたと推測される時間Ｘ分後に、装置内乾燥手段として循環送風手段５と加熱手段７が駆動し、ミスト発生装置３の内部に温風を送風する。装置内乾燥手段が動作している間に加湿手段８内部の残存水は重力により壁面等を伝わり貯水部１０の底部に集まることとなるが、一部は壁面等に付着したままとなるため、壁面に付着した水滴が乾燥する基準装置内乾燥時間Ｙ分の間は装置内乾燥手段つまり循環送風手段５と加熱手段７は運転している。基準装置内乾燥時間Ｙ分後に渇水判定に移行する。
【００３７】
貯水部１０に水が残っていたり、貯水部１０の底面表面に水が付着していると、残水自体の温度または残水が蒸発する際に接している物体より奪う潜熱により、貯水部１０の底部表面温度は低い状態となり従って貯水部１０底部排水口１４近傍に設けた排水温度検出手段２０による温度検出値は低いものとなる。また循環送風手段５により加熱手段７を介して送風された温風は、貯水部１０を底部に備えた加湿手段８の空間を通過することとなり、貯水部１０に残水があった場合は残水の表面と接した空気流の温度は残水の温度または蒸発潜熱により低下することとなるが、残水に接する空気流は加湿手段８の空間を通過する空気流のごく一部であり、加湿手段８の空間を通過後吹出口９に至るまでに合流するため吹出口９では空気流は高温となり、このため吹出口９近傍に備えた吹出温度検出手段２１は高い温度を検知することとなる。排水温度検出手段２０と吹出温度検出手段２１は電気的に制御手段に接続されており、排水温度検出手段２０の検出値が吹出温度検出手段２１の検出値より低い場合は制御手段２２が「渇水状態」になっていないと判断し、装置内乾燥手段として循環送風手段５と加熱手段７の動作を継続するよう循環送風手段５と加熱手段７に信号を送り運転を継続させる。一定時間経過の後、貯水部１０の最下点である排水口１４の周囲が乾燥すると、循環送風手段５により加熱手段７を介して送風される温風は加湿手段８を通過するときに貯水部１０の残水に熱が奪われることがなくなり、温風そのものの温度で貯水部１０の底部に設けた排水口１４周囲を暖めることとなり、排水口１４近傍に備えた排水温度検出手段２０による検出値も高くなっていくこととなる。加熱手段７直後の空気流の温度は１００度以上の非常に高温で、その他のミスト発生装置３の内部の温度は加熱手段７直後の空気流温度より低いため、加熱手段７に対し下流になればなるほど空気流の温度は低下することとなり、このためミスト発生装置３内部が乾燥した状態では、加熱手段７に近い貯水部１０の方が吹出口９より温度が高くなることとなり、つまり貯水部が乾燥した状態では貯水部１０底部に設けた排水口１４近傍に設置された排水温度検出手段による検出値の方が、吹出口近傍に備えた吹出温度検出手段２１で検出された値より高くなる。排水温度検出手段２０と吹出温度検出手段２１に電気的に接続された制御手段２２は排水温度検出手段２０の検出値が吹出温度検出手段２１より高くなったことを認識すると、「渇水状態」であると判断し、循環送風手段５および加熱手段７に信号を送信し、装置内乾燥手段を停止させるべく循環送風手段５と加熱手段７を停止する。
【００３８】
また、排水不良等で排水開閉手段１６を開いたにもかかわらず貯水部１０に水が残っている場合は、いつまでたっても排水温度検出手段２０の検出温度が上がらず、装置内乾燥運転である循環送風手段５と加熱手段７の動作が継続されることとなる。前記継続時間がある一定時間以上となった場合、制御手段２２は「渇水状態にならない」と判断し、異常であること報知する。
【００３９】
なお、報知する手段は警告音を発することや、パネル３に表示部（図示せず）に異常を表示する、またはワイヤードリモコン（図示せず）を接続する場合はワイヤードリモコンに異常の表示をしてもよい。
【００４０】
一方、加湿手段８の回転体１８は内部が空洞の略円錐状の形状であり、下部内面より貯水部１０に溜まった水を吸上げ、水滴飛散用穴１９を介して周囲に水滴を撒き散らすため、運転中は回転体１８の内面および外面に水滴が付着した状態となっている。運転終了後の装置内乾燥手段の加熱手段７と循環送風手段５の動作中には加湿手段８には暖かい空気が送られることとなるが、このとき回転体１８は回転駆動する。回転体１８が回転駆動することにより、回転体１８表面の凸凹部に溜まった水滴が均一に回転体内面に広がり、また水滴飛散用穴１９に表面張力で付着している水は回転運動により外部に飛散されこととなり、装置内乾燥手段が駆動しミスト発生装置３の内部が乾燥される際に、回転体１８への残留した水滴に含まれる蒸発残留物による付着を抑制、均一化することとなる。回転体１８は１０００〜３５００回転の高速回転で動作するため、蒸発残留物のアンバランスな付着により回転時に大きな振動を発生する恐れがあるが、装置内乾燥手段を駆動している際に回転体１８を回転させることにより、蒸発残留物は回転体１８表面に均一に付着することとなり前記振動を抑制することができる。
【００４１】
（実施の形態２）
図３、図４および図５において、図１と同様の構成要素については同一の符号を付し、その詳細な説明は省略する。
【００４２】
図３は装置内部構成を示し、図４は装置内乾燥時の排水温度検出手段による温度検出値を示したものであり、図５は装置内乾燥のフローを示したものである。
【００４３】
図３においてミスト発生装置３の運転が終了すると、循環送風手段５と加熱手段７は停止し、給水開閉手段１３は閉となり給水管１１からの貯水部１０への水の供給を遮断し、排水開閉手段１６は開き貯水部１０に蓄えられた水を排水口１４を介して排水管１５より排出することとなる。
【００４４】
排水開閉手段１６が開いた後の一定時間Ｘ分後、すなわち貯水部１０に蓄えられた水が排水しきるであろうと想定される時間の経過後に排水口１４近傍に設けられた排水温度検出手段２０は温度を検出し、電気的に接続された制御手段２２に送信し「初期値」として記憶する。このとき循環送風手段５および加熱手段７は停止しており、貯水部１０の底面及び排水口１４の表面には水が薄膜を形成しているため排水温度検出手段２０で検出される温度は貯水部１０に蓄えられていた水の温度に近似し、低い温度を検出することとなる。
【００４５】
制御手段２２で「初期値」を記憶した後、装置内乾燥手段として循環送風手段５および加熱手段７が駆動する。装置内乾燥手段が動作している間に加湿手段８内部の残存水は重力により壁面等を伝わり貯水部１０の底部に集まることとなるが、一部は壁面等に付着したままとなるため、壁面に付着した水滴が乾燥する基準装置内乾燥時間Ｙ分の間は装置内乾燥手段つまり循環送風手段５と加熱手段７は運転している。基準装置内乾燥時間Ｙ分後に渇水判定に移行する。
【００４６】
加熱手段７を介した空気流は温風となり貯水部１０を下部に備えた加湿手段８空間に導かれ、加湿手段８内部に付着した水滴を乾燥することとなるが、装置内乾燥手段の駆動直前では加湿手段８つまりは貯水部１０の表面には水の薄膜が残っていたり、水温等の影響により貯水部１０近傍に備えた排水温度検出手段２０の検出温度は低いままであるが、貯水部１０底面の表面の水膜が蒸発するにつれ温度が高くなり完全に乾燥すると蒸発潜熱を奪われることがなくなるため急激に温度上昇が起こる。制御手段２２が記憶している「初期値」に対し、排水温度検出手段２０で検出された数値との差が予め決めていた温度上昇値△Ｔ以上となったときに、制御手段２２は「渇水状態」になったと判断し、循環送風手段５および加熱手段７を停止し、装置内乾燥手段を停止することとなる。
【００４７】
（実施の形態３）
図６、図７、図８および図９において、図１および図３と同様の構成要素については同一の符号を付し、その詳細な説明は省略する。
【００４８】
図６は装置内部構成を示し、図７は装置内乾燥時の排水温度検出手段による温度検出値を示したものであり、図８は吸込温度と排水温度初期値による渇水判定基準を示したものであり、図９は装置内乾燥のフローを示したものである。
【００４９】
図６においてミスト対象室１の連通し設置されるパネル４の吸込口６近傍に、吸込温度検出手段２３が備えられている。循環送風手段５が駆動するとパネル４よりミスト対象室１の空気が吸い込まれ、吸込口６近傍に取り付けられた吸込温度検出手段２３により温度が検出される。吸込温度検出手段２３は電気的に制御手段２２と接続されている。
【００５０】
ミスト発生装置３の運転が終了すると、循環送風手段５と加熱手段７は停止し、給水開閉手段１３は閉となり給水管１１からの貯水部１０への水の供給を遮断し、排水開閉手段１６は開き貯水部１０に蓄えられた水を排水口１４を介して排水管１５より排出する。
【００５１】
排水開閉手段１６が開いた後の一定時間後、すなわち貯水部１０に蓄えられた水が排水しきるであろうと想定される時間の経過後に排水口１４近傍に設けられた排水温度検出手段２０および吸込口６近傍に備えた吸込温度検出手段２３は温度を検出し、電気的に接続された制御手段２２に送信し排水温度検出手段２０で検出された温度を「初期値」として記憶する。このとき循環送風手段５および加熱手段７は停止しており、貯水部１０の底面及び排水口１４の表面には水が薄膜を形成しているため排水温度検出手段２０で検出される温度は貯水部１０に蓄えられていた水の温度に近似し、低い温度を検出することとなる。一方吸込温度検出手段２３で検出された温度は通常ミスト対象室１がミスト運転終了後の温度となる。
【００５２】
制御手段２２で「初期値」を記憶した後、装置内乾燥手段として循環送風手段５および加熱手段７が駆動するとともに換気手段（図示せず）が駆動する。換気手段が駆動することによりミスト対象室１の外部より空気がミスト対象室１に吸い込まれることとなり、ミスト対象室１の温度はミスト対象室１外部の温度に近づいていく。このため吸込口６近傍に備えた吸込温度検出手段２３で検出される値は時間とともに変化することとなる。    制御手段２２で「初期値」を記憶した後、装置内乾燥手段として循環送風手段５および加熱手段７が駆動する。
【００５３】
装置内乾燥手段が動作している間に加湿手段８内部の残存水は重力により壁面等を伝わり貯水部１０の底部に集まることとなるが、一部は壁面等に付着したままとなるため、壁面に付着した水滴が乾燥する基準装置内乾燥時間Ｙ分の間は装置内乾燥手段つまり循環送風手段５と加熱手段７は運転している。基準装置内乾燥時間Ｙ分後に渇水判定に移行する。
【００５４】
図７は吸込温度変化による、排水温度検出手段２０の温度変化を表したグラフである。グラフより明らかなように吸込温度の変化により排水温度検出手段２０で検出した値と「初期値」との差が異なることがわかる。これより吸込温度別に排水温度検出手段２０の検出値と初期値との差を変更することにより、「渇水状態」を正しく認識することができるため、図８のテーブルを「渇水判定基準」として制御手段２２に備える構成とした。
【００５５】
制御手段２２が記憶している「初期値」に対し、排水温度検出手段２０で検出された数値との差と吸込温度検出手段２３により検出された値を図７のテーブルと照合し、温度上昇値の差が規定の温度上昇値以上となったときに、制御手段２２は「渇水状態」になったと判断し、循環送風手段５および加熱手段７を停止し、装置内乾燥手段を停止することとなる。
【００５６】
例えば、排水温初期値Ｔｄ０が１０℃で基準装置内乾燥時間後の排水温度検出手段２０の検出値Ｔｄが２３℃、その時の吸込温度検出手段２３による検出値である吸込温度Ｔｉが５℃の場合、排水温検出値Ｔｄと排水温初期値Ｔｄ０の差△Ｔｄが１３となり、渇水判定基準△Ｔｄｓの１３以上となり渇水状態と判断する。また排水温初期値Ｔｄ０が２０℃で基準装置内乾燥時間後の排水温度検出手段２０の検出値Ｔｄが２３℃、その時の吸込温度検出手段２３による検出値である吸込温度Ｔｉが１５℃の場合、排水温検出値Ｔｄと排水温初期値Ｔｄ０の差△Ｔｄが３となり、渇水判定基準△Ｔｄｓの１６以下となり渇水していないと判断する。一方、排水温初期値Ｔｄ０が２０℃で基準装置内乾燥時間後の排水温度検出手段２０の検出値Ｔｄが３６℃、その時の吸込温度検出手段２３による検出値である吸込温度Ｔｉが１５℃の場合、排水温検出値Ｔｄと排水温初期値Ｔｄ０の差△Ｔｄが１６となり、渇水判定基準△Ｔｄｓの１６以下となり以上となり渇水状態と判断する。このように排水温度検出手段２０で検出された排水温度Ｔｄが同じ値でも、吸込温度検出手段２３で検出された吸込温度Ｔｉと排水温度初期値Ｔｄ０の値によって、渇水判定の合否が異なるものとなる。
【００５７】
なお本発明においては装置内乾燥運転のときに循環送風手段５と加熱手段７の駆動についてのみしか記載しなかったが、ミスト発生装置３内部およびミスト対象室１の湿気を排気する換気手段（図示せず）を同時に駆動すると良いことは言うまでもない。
【産業上の利用可能性】
【００５８】
本発明にかかるミスト発生装置は、装置内の渇水状態を判定することを可能とするものであるので、残水への菌の繁殖が懸念される医療関係の空気調和器や一般家庭用に使用される加湿器や除湿機の衛生管理技術として有用である。
【符号の説明】
【００５９】
１    ミスト対象室
５    循環送風手段
６    吸込口
７    加熱手段
８    加湿手段
９    吹出口
１０  貯水部
１６  排水開閉手段
１８  回転体
１９  水滴飛散用穴
２０  排水温度検出手段
２１  吹出温度検出手段
２３  吸込温度検出手段
【図１】
2014064652.tif 000003
【図２】
2014064652.tif 000004
【図３】
2014064652.tif 000005
【図４】
2014064652.tif 000006
【図５】
2014064652.tif 000007
【図６】
2014064652.tif 000008
【図７】
2014064652.tif 000009
【図８】
2014064652.tif 000010
【図９】
2014064652.tif 000011
【図１０】
2014064652.tif 000012
【図１１】
2014064652.tif 000013